【手続補正書】
【提出日】平成21年7月27日(2009.7.27)
【手続補正１】
【補正対象書類名】特許請求の範囲
【補正対象項目名】全文
【補正方法】変更
【補正の内容】
【特許請求の範囲】
【請求項１】
支持フレームに取付けるようにされた外面と、仕切の境界面を規定するようにされた内面とを備えた難燃性パネルであって、
強化フェノール樹脂材料のパネルフレーム内に収容した主コアを備え、主コアが第１面、第２面及び周囲部を有し、パネルフレームが、主コアの第１及び第２面に取り付けられる第１及び第２表層と主コアの周囲部のまわりで表層間に配置した一つ以上の閉鎖部材とを備え、一つ以上の閉鎖部材が、主コアの周囲部と第１及び第２表層とに取り付けられている、パネル構造体と；
パネルフレームの第２表層に取り付けられ、かつ、第２表層から外方へ延びており、難燃性パネルの外面を少なくとも部分的に画定している難燃性材料の層と、
を有することを特徴とする難燃性パネル。
【請求項２】
難燃性材料の層が、第２表層に取り付けられた発泡性防炎材料の層を備えていることを特徴とする請求項１記載の難燃性パネル。
【請求項３】
発泡性防炎材料の層が、表層に接合されていることを特徴とする請求項２記載の難燃性パネル。
【請求項４】
発泡性防炎材料の層が、発泡性防炎材料を含むコーティングを備えていることを特徴とする請求項３記載の難燃性パネル。
【請求項５】
発泡性防炎コーティングの層が、繊維マットに設けた発泡性防炎材料を含む複合構造体であることを特徴とする請求項２記載の難燃性パネル。
【請求項６】
発泡性防炎材料の層が、発泡性防炎材料の予備硬化層を形成するように硬化エポキシ樹脂を含み、パネルがさらに、発泡性防炎材料の予備硬化層を第２面に接合する接着剤を備えていることを特徴とする請求項５記載の難燃性パネル。
【請求項７】
発泡性防炎材料の層が、フェノール樹脂で含浸され、強化フェノール樹脂の付加的な表層の第２面に対して配置され、そして共に硬化されることを特徴とする請求項５記載の難燃性パネル。
【請求項８】
さらに、前記第１及び第２表層を互いに結合し、かつ、主コアの周囲部から内方に配置した、強化フェノール樹脂材料の一つ以上のリブを有することを特徴とする請求項１記載の難燃性パネル。
【請求項９】
前記主コアが、少なくとも一つの強化フェノール樹脂リブと二つ以上のフォーム条片とを含む予備硬化した強化コアであり、少なくとも一つのフェノール樹脂リブが二つ以上のフォーム条片の二つの隣接したものの間に位置決めされていることを特徴とする請求項８記載の難燃性パネル。
【請求項１０】
前記主コアが多数の群を備え、各群が、繊維材料のロービングによって並置関係で互いに螺旋状に巻かれた多数のプラスチックフォーム条片で形成され、これらの群が互いに並置関係に配置され、そして主コアの第１及び第２面上の第１及び第２接着スクリムによって接合され、隣接した群の繊維ロービングの接合部分が強化フェノール樹脂リブの強化部材を形成していることを特徴とする請求項８記載の難燃性パネル。
【請求項１１】
パネルが、長手方向軸線と、長手方向軸線に略垂直に延びる横方向軸線と、パネルの長手方向軸線及び横方向軸線の両方に対して略直交して延びる厚さとを画定し、長手方向軸線及び横方向軸線の両方が、パネルの内面で画定された略平面内に位置し、
第１及び第２表層が、フェノール樹脂で含浸した繊維材料のステッチド複合強化構造体を備え、
表層の強化構造体が、第１、第２及び第３層を備え、第１層が、主コアに隣接して配置され、かつ、略ランダムに向いた繊維から成り、第２層が、第１層に対して配置され、そして略長手方向に向いた繊維を備え、第３層が、第２層に対して配置され、そして略横方向に向いた繊維を備え、第１、第２及び第３層が、長手方向及び横方向軸線に対して少なくとも部分的に直交して延びるステッチングによって互いにステッチ付にされている
ことを特徴とする請求項８記載の難燃性パネル。
【請求項１２】
さらに、主コアから反対側で第１又は第２表層に対して配置された表面ベールを有することを特徴とする請求項１１記載の難燃性パネル。
【請求項１３】
一つ以上の閉鎖部材の一つ以上が、少なくとも一つの合わせ面を含むように機械加工できることを特徴とする請求項１記載の難燃性パネル。
【請求項１４】
合わせ面が重ね継ぎであることを特徴とする請求項１３記載の難燃性パネル。
【請求項１５】
パネルの内面が、パネルの平面を画定し、閉鎖部材がパネルの平面に略垂直に延びる少なくとも一つの貫通孔を備えていることを特徴とする請求項１４記載の難燃性パネル。
【請求項１６】
主コアが少なくとも一つのタッピングブロックを備え、タッピングブロックが、強化フェノール樹脂材料のブロック及びブロック内に収容した金属プレートを備え、タッピングプレートが、パネルに取付け領域を設けるように孔開けされタッピングされることを特徴とする請求項１記載の難燃性パネル。
【請求項１７】
主コアが、ポリイソシアヌレート材料のプラスチック独立気泡フォームを備えていることを特徴とする請求項１記載の難燃性パネル。
【請求項１８】
主コアが、バルサ木材を備えていることを特徴とする請求項１記載の難燃性パネル。
【請求項１９】
さらに、パネルの内面に隣接した加熱要素を有することを特徴とする請求項１記載の難燃性パネル。
【請求項２０】
加熱要素が、パネルの第１表層内に埋め込まれ、そしてフェノール樹脂材料によってパネルの第１表層に一体に接合されていることを特徴とする請求項１９記載の難燃性パネル。
【請求項２１】
さらに、パネル内に埋め込まれた導管を有し、当該導管が、パネルの内面又は外面或いは周囲部の少なくとも一つを介して導管内に通じる第１及び第２開口を備えていることを特徴とする請求項１記載の難燃性パネル。
【請求項２２】
多数の相互接続したパネルを備え、各パネルが、支持フレームに取付けるようにされた外面と仕切の境界面を規定するようにされた内面とを備え、少なくとも一つのパネルが難燃性パネルである難燃性パネル装置において、
強化フェノール樹脂材料のパネルフレーム内に収容した主コアを備え、主コアが第１面、第２面及び周囲部をもち、パネルフレームが、主コアの第１及び第２面に取り付けた第１及び第２表層と主コアの周囲部のまわりで表層間に配置した一つ以上の閉鎖部材とを備え、一つ以上の閉鎖部材が、主コアの周囲部と第１及び第２表層とに取り付けられている、パネル構造体と；
パネルフレームの第２表層に取り付けられしかも第２表層から外方へ延びてパネルの外面を少なくとも部分的に画定している難燃性材料の層と
を有することを特徴とする難燃性パネル装置。
【請求項２３】
乗り物のフローリング装置を有することを特徴とする請求項２２記載の難燃性パネル装置。
【請求項２４】
乗り物が、フローリング装置を取り付けるための床支持構造体を備えるエレベータであることを特徴とする請求項２３記載の難燃性パネル装置。
【請求項２５】
乗り物が、フローリング装置を取り付けるための床支持構造体を備える車両又は船舶であることを特徴とする請求項２３記載の難燃性パネル装置。
【請求項２６】
車両又は船舶が大型輸送車両又は船舶であることを特徴とする請求項２５記載の難燃性パネル装置。
【請求項２７】
支持フレームに取付けるようにされた外面と仕切の境界面を規定するようにされた内面とを備えた難燃性パネルであって、
強化フェノール樹脂材料のパネルフレーム内に収容した主コアを備え、主コアが第１面、第２面及び周囲部をもち、パネルフレームが、主コアの第１及び第２面に取り付けた第１及び第２表層と主コアの周囲部のまわりで表層間に配置した一つ以上の閉鎖部材とを備え、一つ以上の閉鎖部材が、主コアの周囲部と第１及び第２表層とに取り付けられている、パネル構造体と；
パネルフレームの第２表層に取り付けられしかも第２表層から外方へ延びて難燃性パネルの外面を少なくとも部分的に画定している難燃性材料の層と
を有し；
難燃性材料の層が、バルサ木材、フェノール樹脂フォーム及びメラミン樹脂フォームから成る群から選択される材料の補助コアと、強化フェノール樹脂材料の付加的な表層とを備え、補助コアが、複合支持構造体の第２表層と付加的な表層との間に挟まれかつ第２表層と付加的な表層とに取り付けられ、付加的な表層がパネルフレームの残りの部分に一体に接合され、それによりパネルフレームを備えた強化フェノール材料内に補助コアを完全に収容するようにし；
主コアが、第１及び第２表層を互いに結合しかつ主コアの周囲部から内方に配置した強化フェノール樹脂材料の一つ以上のリブを備え；
パネルが、長手方向軸線と、長手方向軸線に略垂直に延びる横方向軸線と、パネルの長手方向軸線及び横方向軸線の両方に対して略直交して延びる厚さとを画定し、長手方向軸線及び横方向軸線の両方が、パネルの内面で画定された略平面内に位置し；
第１及び第２表層が、フェノール樹脂で含浸した繊維材料のステッチド複合強化構造体を備え；
主コアが多数の群を備え、各群が、繊維材料のロービングによって並置関係で互いに螺旋状に巻かれた多数のプラスチックフォーム条片で形成され、これらの群が互いに並置関係に配置され、そして主コアの第１及び第２面上の第１及び第２接着スクリムによって接合され、隣接した群の繊維ロービングの接合部分が強化フェノール樹脂リブの強化部材を形成し；
表層の強化構造体が、第１、第２及び第３層を備え、付加的な表層の第１層が、補助コアに対して配置されそして略ランダムに向いた繊維から成り、第２層が、第１層に対して配置され、そして略長手方向に向いた繊維を備え、また第３層が、第２層に対して配置され、そして略横方向に向いた繊維を備え、第１、第２及び第３層が、長手方向及び横方向軸線に対して少なくとも部分的に直交して延びるステッチングによって互いにステッチ付にされている
ことを特徴とする難燃性パネル。
【請求項２８】
主コアのプラスチックフォーム条片が、ポリイソシアヌレート材料から成ることを特徴とする請求項２７記載の難燃性パネル。
【請求項２９】
一つ以上の閉鎖部材の一つ以上が、少なくとも一つの合わせ面を含むように機械加工できることを特徴とする請求項２７記載の難燃性パネル。
【請求項３０】
合わせ面が重ね継ぎであることを特徴とする請求項２９記載の難燃性パネル。
【請求項３１】
パネルの内面が、パネルの平面を画定し、閉鎖部材がパネルの平面に略垂直に延びる少なくとも一つの貫通孔を備えていることを特徴とする請求項２７記載の難燃性パネル。
【請求項３２】
パネルが、長手方向軸線と、長手方向軸線に略垂直に延びる横方向軸線と、パネルの長手方向軸線及び横方向軸線の両方に対して略直交して延びる厚さとを画定し、長手方向軸線及び横方向軸線の両方が、パネルの内面で画定された略平面内に位置し、また
パネルの厚さが変化し、そして主コアの周囲部内に少なくとも第１及び第２厚さを備えている
ことを特徴とする請求項１記載の難燃性パネルあるいは請求項２２記載の難燃性パネル装置。
【請求項３３】
パネルフレームの第２表層に取り付けられ、そしてそこから外方へ延びてパネルの外面を少なくとも部分的に画定している難燃性材料の層が、パネルの第１及び第２厚さの両方を通して、パネルの外面全体を横切って延びていることを特徴とする請求項３２記載の難燃性パネル。
【請求項３４】
パネルフレームの第２表層に取り付けられ、そしてそこから外方へ延びてパネルの外面を少なくとも部分的に画定している難燃性材料の層が、パネルの第１及び第２厚さの両方ではなく一方を通して、パネルの外面全体を単に部分的に横切って延びていることを特徴とする請求項３２記載の難燃性パネル。
【請求項３５】
パネルフレームの第２表層に取り付けられ、そしてそこから外方へ延びてパネルの外面を少なくとも部分的に画定している難燃性材料の層が、
第１厚さをもつパネルの領域における第１難燃性構造体と、
第２厚さをもつパネルの領域における第２難燃性構造体と、
を備えていることを特徴とする請求項３２記載の難燃性パネル。
【請求項３６】
難燃性材料の層の第１難燃性構造体が、バルサ木材、フェノール樹脂フォーム及びメラミン樹脂フォームから成る群から選んだ材料の補助コアと、強化フェノール樹脂材料の付加的な表層とを備え、補助コアが、複合支持構造体の第２表層と付加的な表層との間に挟まれかつ第２表層と付加的な表層とに取り付けられ、付加的な表層がパネルフレームの残りの部分に一体に接合され、それによりパネルフレームを備えた強化フェノール材料内に補助コアを完全に収容するようにしたことを特徴とする請求項３５記載の難燃性パネル。
【請求項３７】
難燃性材料の層の第２難燃性構造体が、第２表層の第２面に取り付けた発泡性防炎材料の層を備えていることを特徴とする請求項３６記載の難燃性パネル。
【請求項３８】
前記難燃性材料の層が、バルサ木材、フェノール樹脂フォーム及びメラミン樹脂フォームから成る群から選択された材料の補助コアと、強化フェノール樹脂材料の付加的な表層とを備え、
前記補助コアが、複合支持構造体の第２表層と前記付加的な表層との間に挟まれ、かつ、第２表層と付加的な表層とに取り付けられ、
前記付加的な表層がパネルフレームの残りの部分に一体に接合され、それによりパネルフレームを備えた強化フェノール材料内に補助コアを収容するようにしたことを特徴とする請求項１記載の難燃性パネルまたは請求項２２に記載の難燃性パネル装置。
【請求項３９】
強化フェノール樹脂材料の付加的な表層が、補助コアに取り付けられた第１面と、補助コアと反対側の第２面とを画定し、
難燃性材料の層が、さらに、付加的な表層の第２面に取り付けられる発泡性防炎材料の層を備えていることを特徴とする請求項３８記載の難燃性パネル。
【請求項４０】
発泡性防炎材料の層が付加的な表層の第２面に接合されることを特徴とする請求項３７または３９記載の難燃性パネルあるいは請求項２２に記載の難燃性パネル装置。
【請求項４１】
前記発泡性防炎材料の層が、発泡性防炎材料を含むコーティングを備えていることを特徴とする請求項４０記載の難燃性パネル。
【請求項４２】
前記発泡性防炎材料の層が、繊維マットに設けた発泡性防炎材料を含む複合構造体であることを特徴とする請求項４１記載の難燃性パネル。
【請求項４３】
前記発泡性防炎材料の層が、発泡性防炎材料の予備硬化層を形成するように硬化エポキシ樹脂を含み、パネルがさらに、発泡性防炎材料の予備硬化層を付加的な表層の第２面に接合する接着剤を備えていることを特徴とする請求項４２記載の難燃性パネル。
【請求項４４】
発泡性防炎材料の層が、フェノール樹脂で含浸され、強化フェノール樹脂の付加的な表層の第２面に対して配置され、そして共に硬化されることを特徴とする請求項４２記載の難燃性パネル。
【請求項４５】
請求項１〜２１および２７〜４４のいずれか1項に記載の難燃性パネル、あるいは、請求項２２〜２６、３２、３８、および４０のいずれか１項に記載の難燃性パネル装置を構築する方法であって、
主コアが第１面、第２面及び周囲部をもつようにして、強化フェノール樹脂材料のパネルフレーム内に主コアを収容し、パネルフレームが、主コアの第１及び第２面に取り付けた第１及び第２表層と主コアの周囲部のまわりで表層間に配置した一つ以上の閉鎖部材とを備えるようにし、一つ以上の閉鎖部材を、主コアの周囲部と第１及び第２表層とに取り付けることによって、パネル構造体を形成することと；
パネルフレームの第２表層に、第２表層から外方へのばして難燃性パネルの外面を少なくとも部分的に画定するように難燃性材料の層を取り付けることと
を含むことを特徴とする方法。
【請求項４６】
さらに、
強化フェノール樹脂の第２表層が非硬化状態にある間に、強化フェノール樹脂の第２表層に対して発泡性防炎材料の層を配置すること；
発泡性防炎材料の層をフェノール樹脂に含浸させ、そして第２表層及び発泡性防炎材料の含浸層を共に硬化すること
を含むことを特徴とする請求項４５記載の方法。
【請求項４７】
難燃性材料の層が第１及び第２部分を備え、
複合支持構造体の第２表層と強化フェノール樹脂材料の付加的な表層との間に、バルサ木材、フェノール樹脂フォーム及びメラミン樹脂フォームから成る群から選択される材料で形成した補助コアを取付け、そして付加的な表層をパネルフレームの残りの部分に一体に接合して、パネルフレームを備えた強化フェノール樹脂材料内に補助コアを完全に収容するようにすることによって、補助コア及び付加的な表層で難燃性材料の層の第１部分を形成すること；
難燃性層の第２部分におけるパネル構造体の第２表層に発泡性防炎材料を取付けることによって、難燃性材料の層の第２部分を形成することを含むことを特徴とする請求項４５記載の方法。